(57)【要約】【課題】利用者が注文した商品に応じて、利用者の画像表示テーブルの表示を変化させる画像表示制御システムを提供する。【解決手段】まず、利用者が来店し商品を注文して代金を清算すると、店員によりＰＯＳレジ７０が操作され、サーバ１８に注文された商品の種類や値段等が入力されると（ステップＳ１０）と、サーバ１８内のルック・アップ・テーブルが検索され、利用者が着席する画像表示テーブル１２に適用されるエフェクトが決定される（ステップＳ１２）。次に、利用者の注文内容に固有のＩＤが発行される（ステップＳ１４）。このＩＤは、ステップＳ１２で決定されたエフェクト等とともにサーバ１８の待ちキューに登録されるとともに、ＩＣタグライタ７２により商品の容器に付されたＩＣタグにそのＩＤが書き込まれ、利用者に商品が渡される。そして、利用者が店内の画像表示テーブル１２の１つに着席し、商品容器のＩＣタグがＩＣタグリーダ５０により読み取られると（ステップＳ１８）、ＩＤが確認されたテーブル１２にエフェクトが適用される（ステップＳ２０）。【選択図】      図６
2005339007.tif 000002
【特許請求の範囲】
【請求項１】
利用者の記録媒体から画像を入力する画像入力手段と、テーブルの表面に設けられ、前記画像入力手段から入力した利用者の画像を表示する画像表示手段と、前記テーブルに商品が置かれたときに前記商品の種類を認識する商品認識手段と、前記画像表示手段の表示を制御する画像制御手段と、を備える画像表示テーブルと、
前記画像表示テーブルとネットワークを介して接続されており、前記商品の種類に応じたエフェクトを記録するルック・アップ・テーブルを含む制御装置と、
を備え、
前記制御装置は、前記置かれた商品の種類に基づいて前記エフェクトを前記ルック・アップ・テーブルから選択し、前記商品認識手段により前記画像表示テーブルに前記商品が置かれたことが認識されると、前記画像表示テーブルに前記選択されたエフェクトを適用することを特徴とする画像表示制御システム。
【請求項２】
前記商品の容器には、固有の識別情報が書き込まれたＩＣタグが取り付けられており、前記商品認識手段は、前記ＩＣタグに書き込まれた識別情報を読み取るＩＣタグリーダであることを特徴とする請求項１記載の画像表示制御システム。
【請求項３】
利用者の記録媒体から画像を入力する画像入力手段と、テーブルの表面に設けられ、前記画像入力手段から入力した利用者の画像を表示する画像表示手段と、前記画像表示手段の表示を制御する画像制御手段と、商品に対応付けられた注文ＩＤを認識するＩＤ認識手段とを備える画像表示テーブルと、
前記利用者によって注文された商品の種類の入力を行う注文入力手段と、
前記画像表示テーブル及び前記注文入力手段とネットワークを介して接続されており、前記商品の種類に応じたエフェクトを記録するルック・アップ・テーブルを含む制御装置とを備え、
前記制御装置は、前記注文入力手段により入力された商品の種類に基づいて前記エフェクトを前記ルック・アップ・テーブルから選択して、選択されたエフェクトを前記注文ＩＤと関連づけて記憶し、前記画像表示テーブルにおいて前記ＩＤ認識手段により前記注文ＩＤが認識されると、前記注文ＩＤが認識された画像表示テーブルに前記ＩＤと関連づけられたエフェクトを適用することを特徴とする画像表示制御システム。
【請求項４】
利用者の記録媒体から画像を入力する画像入力手段と、テーブルの表面に設けられ、前記画像入力手段から入力した利用者の画像を表示する画像表示手段と、前記利用者のＩＤの書き込まれたＩＤ記録手段を認識する利用者ＩＤ認識手段と、前記画像表示手段の表示を制御する画像制御手段と、を備える画像表示テーブルと、
前記利用者のＩＤ及び前記利用者によって注文された商品の種類の入力を行う注文入力手段と、
前記画像表示テーブル及び前記注文入力手段とネットワークを介して接続されており、前記商品の種類に応じたエフェクトを記録するルック・アップ・テーブルを含む制御装置と、
を備え、
前記制御装置は、前記注文入力手段により入力された商品の種類に基づいて前記エフェクトを前記ルック・アップ・テーブルから選択して、選択されたエフェクトを前記商品の注文を行った前記利用者のＩＤと関連づけて記憶し、前記画像表示テーブルにおいて前記利用者ＩＤ認識手段により前記利用者のＩＤが認識されると、前記利用者のＩＤが認識された画像表示テーブルに前記利用者のＩＤと関連づけられたエフェクトを適用することを特徴とする画像表示制御システム。
【請求項５】
利用者の記録媒体から画像を入力する画像入力手段と、テーブルの表面に設けられ、前記画像入力手段から入力した利用者の画像を表示する画像表示手段と、前記画像表示手段の表示を制御する画像制御手段と、を備え、固有の識別符号の付された画像表示テーブルと、
前記利用者の着席している画像表示テーブルに付された識別符号及び前記利用者によって注文された商品の種類の入力を行う注文入力手段と、
前記画像表示テーブルとネットワークを介して接続されており、前記商品の種類に応じたエフェクトを記録するルック・アップ・テーブルを含む制御装置と、
を備え、
前記制御装置は、前記注文入力手段により入力された商品の種類に基づいて前記エフェクトを前記ルック・アップ・テーブルから選択し、前記商品の注文を行った利用者の着席している画像表示テーブルに前記選択されたエフェクトを適用することを特徴とする画像表示制御システム。
【請求項６】
前記エフェクトは、前記制御装置が前記画像制御手段を制御して前記画像表示手段の表示及び／又は前記利用者が入力した画像の変化を含むことを特徴する請求項１から５のいずれか１項記載の画像表示制御システム。
【請求項７】
前記画像表示テーブルごとに配置された音声出力手段を更に備え、
前記エフェクトは、前記制御装置が前記音声出力手段を制御して、前記商品の種類に応じた音楽を流すことを含むことを特徴とする請求項１から６のいずれか１項記載の画像表示制御システム。
【発明の詳細な説明】
【技術分野】
【０００１】
本発明は画像表示制御システムに関する。
【背景技術】
【０００２】
近年、利用者が持参したメディアカードやデジタルカメラ等の記憶媒体から写真等の画像データを読み取り、画像を加工して印刷する装置が普及している。
【０００３】
特許文献１には、喫茶店やレストラン等において、利用者が持参した媒体から画像データを読み取り、画像を加工してプリンタ等に出力する情報端末テーブルが開示されている。特許文献１に開示された情報端末テーブルには、データの読み取りや画像の加工、印刷等の時間のかかる処理でも着座した姿勢で楽に行うことができるという利点がある。
【０００４】
また、上記特許文献１には、表示部で画像の操作を行わない場合に、情報端末テーブルの表示部以外の部分の模様や情報端末テーブルの設置されている空間のインテリアと統一感を有する表示を行える情報端末テーブルについて開示されている。さらに、特許文献１には、飲食物の注文を情報端末テーブルの表示部から行うことができる情報出力システムについて開示されている。
【０００５】
また、特許文献２には、インターネットを介して広告画像データベースから広告画像データを取得して、画像処理の対象となった画像データに取得した広告画像データ画像を合成する画像処理装置と、画像処理に対する課金金額を演算する課金装置とを含む画像処理サービス提供システムについて開示されている。
【特許文献１】特開２００２−２３６９７２号公報
【特許文献２】特開２００２−１３５５５８号公報
【発明の開示】
【発明が解決しようとする課題】
【０００６】
しかしながら、上記特許文献１に開示された情報端末テーブルは、画像の操作を行わない場合にのみ、テーブルの模様やテーブル付近のインテリアに応じた特定の表示を行うものであって、本発明とは目的及び構成を異にするものである。
【０００７】
また、特許文献２に開示された画像処理サービス提供システムは、画像処理に応じて課金を行うものであり、飲食物を受け取ってから着席するセルフサービスカフェには適さない。
【０００８】
本発明はこのような事情に鑑みてなされたもので、利用者が注文した商品に応じて、利用者の画像表示テーブルの表示を変化させる画像表示制御システムを提供することを目的とする。
【課題を解決するための手段】
【０００９】
上記目的を達成するために請求項１に画像表示制御システムは、利用者の記録媒体から画像を入力する画像入力手段と、テーブルの表面に設けられ、前記画像入力手段から入力した利用者の画像を表示する画像表示手段と、前記テーブルに商品が置かれたときに前記商品の種類を認識する商品認識手段と、前記画像表示手段の表示を制御する画像制御手段と、を備える画像表示テーブルと、前記画像表示テーブルとネットワークを介して接続されており、前記商品の種類に応じたエフェクトを記録するルック・アップ・テーブルを含む制御装置と、を備え、前記制御装置は、前記置かれた商品の種類に基づいて前記エフェクトを前記ルック・アップ・テーブルから選択し、前記商品認識手段により前記画像表示テーブルに前記商品が置かれたことが認識されると、前記画像表示テーブルに前記選択されたエフェクトを適用することを特徴とする。
【００１０】
請求項１に係る画像表示制御システムによれば、画像表示テーブルにおいて注文した商品に応じた表示を楽しむことができる。また、商品の購入後に画像表示テーブルにエフェクトを適用するので、セルフサービスカフェにも適用可能である。
【００１１】
請求項２に示すように請求項１に係る画像表示制御システムにおいて、前記商品の容器には、固有の識別情報が書き込まれたＩＣタグが取り付けられており、前記商品認識手段は、前記ＩＣタグに書き込まれた識別情報を読み取るＩＣタグリーダであることを特徴とする。
【００１２】
請求項３に係る画像表示制御システムは、利用者の記録媒体から画像を入力する画像入力手段と、テーブルの表面に設けられ、前記画像入力手段から入力した利用者の画像を表示する画像表示手段と、前記画像表示手段の表示を制御する画像制御手段と、商品に対応付けられた注文ＩＤを認識するＩＤ認識手段とを備える画像表示テーブルと、前記利用者によって注文された商品の種類の入力を行う注文入力手段と、前記画像表示テーブル及び前記注文入力手段とネットワークを介して接続されており、前記商品の種類に応じたエフェクトを記録するルック・アップ・テーブルを含む制御装置とを備え、前記制御装置は、前記注文入力手段により入力された商品の種類に基づいて前記エフェクトを前記ルック・アップ・テーブルから選択して、選択されたエフェクトを前記注文ＩＤと関連づけて記憶し、前記画像表示テーブルにおいて前記ＩＤ認識手段により前記注文ＩＤが認識されると、前記注文ＩＤが認識された画像表示テーブルに前記ＩＤと関連づけられたエフェクトを適用することを特徴とする。
【００１３】
請求項４に係る画像表示制御システムは、利用者の記録媒体から画像を入力する画像入力手段と、テーブルの表面に設けられ、前記画像入力手段から入力した利用者の画像を表示する画像表示手段と、前記利用者のＩＤの書き込まれたＩＤ記録手段を認識する利用者ＩＤ認識手段と、前記画像表示手段の表示を制御する画像制御手段と、を備える画像表示テーブルと、前記利用者のＩＤ及び前記利用者によって注文された商品の種類の入力を行う注文入力手段と、前記画像表示テーブル及び前記注文入力手段とネットワークを介して接続されており、前記商品の種類に応じたエフェクトを記録するルック・アップ・テーブルを含む制御装置とを備え、前記制御装置は、前記注文入力手段により入力された商品の種類に基づいて前記エフェクトを前記ルック・アップ・テーブルから選択して、選択されたエフェクトを前記商品の注文を行った前記利用者のＩＤと関連づけて記憶し、前記画像表示テーブルにおいて前記利用者ＩＤ認識手段により前記利用者のＩＤが認識されると、前記利用者のＩＤが認識された画像表示テーブルに前記利用者のＩＤと関連づけられたエフェクトを適用することを特徴とする。
【００１４】
請求項５に係る画像表示制御システムは、利用者の記録媒体から画像を入力する画像入力手段と、テーブルの表面に設けられ、前記画像入力手段から入力した利用者の画像を表示する画像表示手段と、前記画像表示手段の表示を制御する画像制御手段と、を備え、固有の識別符号の付された画像表示テーブルと、前記利用者の着席している画像表示テーブルに付された識別符号及び前記利用者によって注文された商品の種類の入力を行う注文入力手段と、前記画像表示テーブルとネットワークを介して接続されており、前記商品の種類に応じたエフェクトを記録するルック・アップ・テーブルを含む制御装置と、を備え、前記制御装置は、前記注文入力手段により入力された商品の種類に基づいて前記エフェクトを前記ルック・アップ・テーブルから選択し、前記商品の注文を行った利用者の着席している画像表示テーブルに前記選択されたエフェクトを適用することを特徴とする。
【００１５】
請求項６に示すように請求項１から５に係る画像表示制御システムにおいて、前記エフェクトは、前記制御装置が前記画像制御手段を制御して前記画像表示手段の表示及び／又は前記利用者が入力した画像の変化を含むことを特徴する。
【００１６】
請求項７に示すように請求項１から６に係る画像表示制御システムにおいて、前記画像表示テーブルごとに配置された音声出力手段を更に備え、前記エフェクトは、前記制御装置が前記音声出力手段を制御して、前記商品の種類に応じた音楽を流すことを含むことを特徴とする。
【発明の効果】
【００１７】
本発明によれば、画像表示テーブルにおいて注文した商品に応じた表示を楽しむことができる。また、商品を受け取ってから着席するセルフサービスカフェにも適用可能である。
【発明を実施するための最良の形態】
【００１８】
以下、添付図面に従って本発明に係る画像表示制御システムの好ましい実施の形態について説明する。図１は、本発明の一実施形態に係る画像表示制御システムを示すブロック図である。画像表示制御システム１０は、喫茶店やレストラン等の店舗に設置されるもので、画像表示テーブル１２と、プリンタ１４と、店員用の入出力装置や店内カメラ、ＰＯＳレジ等を含む店内システム１６と、システム制御や画像処理に係るプログラムやテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００１９】
図２は画像表示テーブルを示す斜視図である。図２に示すように、本実施形態の画像表示テーブル１２は円卓であり、表面に画像を表示する表示部３０が設けられている。表示部３０は、例えば、有機ＥＬ（electro-luminescence）や液晶ディスプレイ（ＬＣＤ）、電子ペーパー等である。
【００２０】
また、図２に示すように、表示部３０の図における下面には、利用者の画像の入出力を行うメディアリーダ／ライタ（図４の符号６０）を備える入出力部３２が取り付けられている。
【００２１】
図３は、本発明の第１の実施形態に係る画像表示テーブルの構成を示すブロック図である。図３に示す画像表示テーブル１２は、上述の表示部３０と、入出力部３２と、操作部３８と、中央処理装置（ＣＰＵ）４４と、メモリ４６と、通信Ｉ／Ｆ４８と、ＩＣタグリーダ５０とを含んでいる。
【００２２】
ＣＰＵ４４は、画像表示テーブル１２を統括制御する制御部である。ＣＰＵ４４は、操作部３８等からの入力に基づいて画像表示テーブル１２の動作を制御する。なお、ＣＰＵ４４はサーバ１８が兼ねていてもよい。
【００２３】
操作部３８は、画像表示テーブル１２を操作するための装置であり、利用者が入力した画像を操作するためのポインティングデバイス又はタッチパネルを含んでいる。
【００２４】
メモリ４６には、ＣＰＵ４４が処理するプログラム及び制御に必要な各種データ等が格納されるＲＯＭや、入出力部３２を介して入力した画像データが格納される記憶領域及びＣＰＵ４４が各種の演算処理等を行う作業用領域となるＳＤＲＡＭ（Synchronous Dynamic RAM）等が含まれている。
【００２５】
通信Ｉ／Ｆ４８は、ＬＡＮに接続するための機器で、所定のプロトコルにしたがって各種データの送受信を行う。
【００２６】
ＩＣタグリーダ５０は、テーブル１２の表面に商品が置かれた際に、商品の容器（食器）に付されたＩＣタグを読み取るためのアンテナである。このアンテナは非接触電力伝送技術によりＩＣタグに電力を供給し通信を行うものであり、その通信距離及び配置はテーブル１２の大きさ等に応じて、商品がテーブル１２表面のどこに置かれてもＩＣタグを認識できるように調整されている。
【００２７】
図４は、入出力部３２を拡大して示す斜視図である。入出力部３２は、記録メディアに画像データを入出力するメディアリーダ／ライタ６０と、音声入出力用のジャック６２とを備えている。メディアリーダ／ライタ６０は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図６においては、メディアリーダ／ライタ６０は１つの記録メディア挿入口として簡略化されている。
【００２８】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００２９】
なお、図４には、音声入出力用のジャックが示されているが、別に音声出力用のスピーカを備えていてもよい。
【００３０】
図５は、店内システム１６の主要構成を示すブロック図である。図５に示すように、店内システム１６は、ＰＯＳレジ７０と、ＩＣタグライタ７２と、通信Ｉ／Ｆ７４とを含んでいる。
【００３１】
ＰＯＳレジ７０は、店員が利用者の注文内容を入力し、代金の清算等を行うための機器である。ＩＣタグライタ７２は、商品の容器に付されたＩＣタグに固有のＩＤを書き込むための機器であり、ＰＯＳレジ７０や商品の受け渡し口付近に設置される。
【００３２】
通信Ｉ／Ｆ７４は、店内システム１６をＬＡＮに接続するための機器で、所定のプロトコルにしたがって各種データの送受信を行う。
【００３３】
以下、本実施形態の画像表示制御システム１０の利用方法について具体的に説明する。なお、以下では、利用者が商品を受け取ってから着席するセルフサービスカフェに本実施形態の画像表示制御システムを適用した例について説明する。
【００３４】
図６は、本発明の第１の実施形態に係る画像表示制御システムにおいて画像表示テーブルにエフェクトを適用する方法を示すフローチャートである。まず、利用者が来店し商品を注文して代金を清算すると、店員によりＰＯＳレジ７０が操作され、サーバ１８に注文された商品の種類や値段等が入力される（ステップＳ１０）。
【００３５】
すると、サーバ１８内のルック・アップ・テーブルが検索され、利用者が着席する画像表示テーブルに適用されるエフェクトが決定される（ステップＳ１２）。ここで、画像表示テーブル１２に適用されるエフェクトを決定する方法（エフェクト決定アルゴリズム）について説明する。図７は、ルック・アップ・テーブルの例を示す図である。
【００３６】
図７（ａ）に示すルック・アップ・テーブルＬＵＴ１には、注文された商品の種類（コーヒーやオレンジジュース、イチゴジュース等）とエフェクトの対応関係が記録されている。なお、画像表示テーブル１２に適用されるエフェクトの例については、図９及び図１０を参照して後述する。
【００３７】
なお、本実施形態においては、図７（ａ）に示すように、商品の種類に対応するエフェクトが異なるルック・アップ・テーブルＬＵＴ１がサーバ１８内に複数種類記録されていて、季節や月、曜日、記念日等に応じて検索されるルック・アップ・テーブルＬＵＴ１が入れ替えられるようになっていてもよい。
【００３８】
また、本実施形態においては、図７（ｂ）に示すような、値段とエフェクトの表示時間の対応関係が記録されているルック・アップ・テーブルＬＵＴ２をＬＵＴ１と組み合わせて用いることにより、エフェクトが表示される時間を制限することとしてもよい。
【００３９】
図６のフローチャートの説明に戻ると、次にステップＳ１４に進み、利用者の注文内容に固有のＩＤ（注文ＩＤ）が発行され、ステップＳ１２で決定されたエフェクトの適用対象が設定される。なお、この注文ＩＤは、利用者、又は店員がＰＯＳレジ（店内システム１６）を操作して、利用者が注文した商品の種類をサーバ１８に入力することにより自動的に生成することができる。また、利用者、又は店員が発行された注文ＩＤをサーバ１８に直接入力してもよい。
【００４０】
ここで、エフェクトの適用対象の設定方法（対象設定アルゴリズム）について説明する。まず、ステップＳ１４で発行された注文ＩＤは、ステップＳ１２で決定されたエフェクトと関連づけられてサーバ１８の待ちキューに登録される。図８は、待ちキューの例を示す図である。図８に示す待ちキューＱＵＥには、注文ＩＤとエフェクトの対応関係が記録されている。なお、ステップＳ１２で、エフェクトの表示時間も選択している場合（図７（ｂ）参照）には、待ちキューＱＵＥに表示時間も記録される。
【００４１】
また、ステップＳ１４で発行された注文ＩＤは、ＩＣタグライタ７２により商品の容器に付されたＩＣタグに書き込まれる。そして、商品が利用者に渡されると、待ちキュー（図８）の注文ＩＤと利用者のＩＣタグの注文ＩＤと対応により、この商品が渡された利用者がステップＳ１２で決定されたエフェクトの適用対象として設定される。
【００４２】
図６のフローチャートの説明に戻ると、次にステップＳ１６に進み、画像表示制御システム１０は商品が画像表示テーブル１２に置かれるまで待機する。利用者が店内の画像表示テーブル１２の１つに着席して、商品を画像表示テーブル１２に置くと、商品容器のＩＣタグがＩＣタグリーダ５０により読み取られる（ステップＳ１８）。また、利用者が着席して、メディアリーダ／ライタ６０に記録メディアを挿入すると、記録メディアに記録されている画像データが読み取られ、表示部３０に読み取られた画像データが表示される。そして、注文ＩＤが確認された画像表示テーブル１２や表示部３０に表示されている画像にステップＳ１２で決定されたエフェクトが適用される（ステップＳ２０）。
【００４３】
ここで、エフェクトとは、表示部３０における色や模様、画像の表示や利用者の画像等へのテンプレートの適用、楽曲の演奏等である。このようなエフェクトとしては、例えば、商品の種類に因んだものや店舗等のマーク、キャラクタ等を含むものを挙げることができる。以下にエフェクトの例について説明する。
【００４４】
図９は、画像表示テーブル１２にエフェクトが適用された例を示す図である。図９は利用者がコロンビアコーヒーを注文した例を示しており、利用者がコロンビアコーヒーを画像表示テーブル１２におくと（ステップＳ１８）、画像表示テーブル１２の表示部３０全面が迷彩色の表示となる。なお、迷彩色以外の色や画像が表示されるようにしてもよいし、楽曲の演奏を伴ってもよい。
【００４５】
図１０は、利用者の画像に適用されるテンプレートの例を示す図である。図１０（ａ）〜図１０（ｄ）に示すテンプレート（ＴＭＰ１〜ＴＭＰ４）は、それぞれ利用者がコーヒー、アップルティ、オレンジジュース及びイチゴジュースを注文した場合に利用できるテンプレートの例を示している。この例のテンプレート（ＴＭＰ１〜ＴＭＰ４）は注文商品に因んだ図柄の枠であり、中央の画像合成領域は利用者の画像を合成するための領域である。
【００４６】
なお、利用者画像に対するテンプレートの適用については、商品が画像表示テーブル１２に置かれたときに、その画像表示テーブル１２に対してテンプレートの利用が許可されるようにしてもよいし、テンプレートが自動的に利用者の画像と合成されるようにしてもよい。
【００４７】
利用者は、表示部３０及び操作部３８により、画像の移動、拡大／縮小、プリント指示、セーブ／消去又は動画再生等を行うことができる。また、音声付の画像の場合にはジャック６２（図４参照）を利用して音声を聞くこともできる。また、利用者は、画像操作パネル３４を操作して、画像への書き込み、画像の色合い等の調整、画像とフレームやテンプレート等との合成、シールやインデックスプリントの作成、ジャック６２からの音声入力等、さまざまな加工を施すことができる。
【００４８】
図１に示すプリンタ１４には通常の印刷用紙のほかラメ加工やシール加工等が施された用紙が搭載されており、利用者は所望の用紙を選択して印刷することができる。なお、プリンタ１４は、テーブル１２ごとに１台ずつ設置されていてもよいし、店舗に１台だけであってもよい。また、利用者は操作の終わった画像データをメディアリーダ／ライタ６０で記録メディアやデジタルカメラ等に書き込んで持ち帰ることもできる。
【００４９】
なお、上述の実施形態において、テンプレートと合成された画像のプリントが、その店舗や提携店舗、商店街等で利用できるクーポン券や抽選（補助）券等となっていてもよい。また、プリンタ１４に備え付けのプリント用紙（例えば、裏面）が上記のクーポン券等となっていてもよい。
【００５０】
また、上述の実施形態においては、利用者の画像にエフェクトが適用されることとしたが、例えば、店内（例えば、画像表示テーブル１２上）にカメラ（定点カメラ）等を設置して、このカメラによって撮影された画像についても上述のような操作やエフェクトの適用が行えるようにしてもよい。
【００５１】
なお、上述の実施形態においては、商品の容器（食器）に付されたＩＣタグにより注文を行った利用者が着席した画像表示テーブルを認識し、利用者の画像表示テーブルにエフェクトを適用することとしたが、利用者にあらかじめ固有のＩＤ（利用者ＩＤ）を付与しておき、この利用者ＩＤを画像表示テーブル１２で認識することにより、利用者の着席したテーブルを認識することとしてもよい。
【００５２】
図１１は、本発明の第２の実施形態に係る画像表示テーブルの構成を示すブロック図である。なお、以下では、利用者が商品を受け取ってから着席するセルフサービスカフェに本実施形態の画像表示制御システムを適用した例について説明する。
【００５３】
図１１に示すように、本実施形態の画像表示テーブル１２は、ＩＣタグリーダ５０に代えてＩＤカードリーダ５２を備えている。
【００５４】
ＩＤカードリーダ５２は、利用者のＩＤカードに書き込まれた利用者ＩＤを読み取るための機器であり、例えば、入出力部３２（図２及び図４参照）付近に取り付けられる。このＩＤカードとしては、磁気カードや、接触式又は非接触式のＩＣカードを用いることができる。
【００５５】
図１２は、本発明の第２の実施形態に係る画像表示制御システムにおいて画像表示テーブルにエフェクトを適用する方法を示すフローチャートである。まず、利用者が来店し商品を注文して代金を清算すると、店員によりＰＯＳレジ７０が操作され、サーバ１８に注文した利用者ＩＤ、注文された商品の種類や値段等が入力されるとともに（ステップＳ３０）、利用者にＩＤカードが渡される。
【００５６】
次に、サーバ１８内のルック・アップ・テーブルが検索され、利用者が着席する画像表示テーブルに適用されるエフェクトが決定される（ステップＳ３２）。ここで、画像表示テーブル１２に適用されるエフェクトを決定する方法（エフェクト決定アルゴリズム）については、上述の実施形態と同様であるので説明を省略する。
【００５７】
次に、利用者ＩＤとステップＳ３２で決定されたエフェクト等が関連づけられて待ちキューに記録され（ステップＳ３４）、画像表示制御システム１０は利用者が画像表示テーブル１２に着席するまで待機する（ステップＳ３６）。
【００５８】
そして、利用者が店内の画像表示テーブル１２の１つに着席して、ＩＤカードをＩＤカードリーダ５２に読み込ませると（ステップＳ３８）、利用者ＩＤが確認されたテーブル１２にステップＳ１２で決定されたエフェクトが適用される（ステップＳ４０）。
【００５９】
なお、本実施形態では、利用者ＩＤを書き込む媒体としてＩＤカードを用いることとしたが、ＩＤの書き込み可能なＩＣチップ等を含む装置（例えば、携帯電話等）を用いてもよいし、利用者の記録メディアに利用者ＩＤを書き込むこととしてもよい。
【００６０】
なお、上記の説明においては、本発明の画像表示制御システムを注文した商品を受け取ってから着席するセルフサービスカフェに適用した例について説明したが、着席してから注文を行う喫茶店やレストラン等の店舗にも適用することができる。
【００６１】
なお、着席してから注文を行う喫茶店やレストラン等の店舗においては、ＩＣタグリーダ５０やＩＤカードリーダ５２等を用いずに、店員によるテーブル番号と注文内容の入力によって、エフェクトの決定や、エフェクトを適用すべき画像表示テーブルの特定が行われるように構成してもよい。
【００６２】
なお、上述の実施形態において、複数の利用者が同じ画像表示テーブル１２に着席した場合には、例えば、着席した順番にエフェクトが実行されるようにしてもよいし、注文金額が高い順番にエフェクトが表示されるようにしてもよい。
【００６３】
また、画像表示テーブル１２の表示部３０が利用者の人数に応じて複数の領域に分割され、各領域の利用者の注文内容に応じたエフェクトが各領域に別々に適用されるようにしてもよい。この場合、入出力部３２、操作部３８、ＩＣタグリーダ５０、ＩＤカードリーダ５２等を各領域ごとに設けた構成となる。
【図面の簡単な説明】
【００６４】
【図１】本発明の一実施形態に係る画像表示制御システムを示すブロック図
【図２】画像表示テーブルを示す斜視図
【図３】本発明の第１の実施形態に係る画像表示テーブルの構成を示すブロック図
【図４】入出力部３２を拡大して示す斜視図
【図５】店内システム１６の主要構成を示すブロック図
【図６】本発明の第１の実施形態に係る画像表示制御システムにおいて画像表示テーブルにエフェクトを適用する方法を示すフローチャート
【図７】ルック・アップ・テーブルの例を示す図
【図８】待ちキューの例を示す図
【図９】画像表示テーブル１２にエフェクトが適用された例を示す図
【図１０】利用者の画像に適用されるテンプレートの例を示す図
【図１１】本発明の第２の実施形態に係る画像表示テーブルの構成を示すブロック図
【図１２】本発明の第２の実施形態に係る画像表示制御システムにおいて画像表示テーブルにエフェクトを適用する方法を示すフローチャート
【符号の説明】
【００６５】
１０…画像表示制御システム、１２…画像表示テーブル、１４…プリンタ、１６…店内システム、１８…サーバ、３０…表示部、３２…入出力部、５０…ＩＣタグリーダ、７０…ＰＯＳレジ、７２…ＩＣタグライタ、５２…ＩＤカードリーダ
【図１】
2005339007.tif 000003
【図２】
2005339007.tif 000004
【図３】
2005339007.tif 000005
【図４】
2005339007.tif 000006
【図５】
2005339007.tif 000007
【図６】
2005339007.tif 000008
【図７】
2005339007.tif 000009
【図８】
2005339007.tif 000010
【図９】
2005339007.tif 000011
【図１０】
2005339007.tif 000012
【図１１】
2005339007.tif 000013
【図１２】
2005339007.tif 000014